(57)【要約】【課題】  可動式表示装置を有する遊技機において、可動体の図柄表示面の背面側における部品の冷却作用の効率化を図る上で有効な技術を提供する。【解決手段】  可動式表示装置を備えた遊技機であって、可動式表示装置は、図柄表示面を有する移動可能な可動体１０１を有し、当該可動体１０１の図柄表示面に、当該可動体１０１の移動動作に基づいて当該可動体１０１の図柄表示面の背面側に冷却空気を取り入れる空気取入手段１２１を有することを特徴とする遊技機。【選択図】  図２
2005081078.tif 000002
【特許請求の範囲】
【請求項１】
可動式表示装置を備えた遊技機であって、
前記可動式表示装置は、図柄表示面を有する移動可能な可動体を有し、当該可動体の図柄表示面に、当該可動体の移動動作に基づいて当該可動体の図柄表示面の背面側に冷却空気を取り入れる空気取入手段を有することを特徴とする遊技機。
【発明の詳細な説明】
【技術分野】
【０００１】
本発明は、可動式表示装置を有する遊技機に関し、詳しくは図柄表示面を有する可動体の背面側に配置される部品を冷却する技術に関する。
【背景技術】
【０００２】
図柄表示面を有する可動体としての、回転ドラムの内部の冷却を可能とした回転式表示装置を有する遊技機の一例が実公平５−２９７４４号公報（特許文献１）に開示されている。この開示文献には、外周表面に複数の図柄が表示された回転ドラムの軸方向の端面（ドラム側面）に冷却ファンを一体状に設定し、当該回転ドラムと一体に回転する冷却ファンによって回転ドラム内に空気を送り込み、当該回転ドラム内に収容配置されたモータやＩＣなどの発熱機器を冷却する技術が開示されている。
【０００３】
上記開示技術は、回転式表示装置において、回転ドラムの側面（横方向）から冷却空気を取り込んで冷却する方式である。このため、例えば、回転ドラムの内部に当該回転ドラムの前面側の図柄（遊技者に表示される図柄表示面）を照らすバックライトを配置する場合において、バックライトの配光性を高めるために当該バックライトをほぼ箱型の反射板によって取り囲むように構成すると、当該反射板、特に側面部分によって空気の流通性が損なわれ、冷却効率が悪くなってしまう。また回転ドラムは、複数個を横並びに配置することが多く、このため、冷却空気を横方向から取り入れる方式では、冷却空気の取り入れ量に制限があり、冷却効率が悪いという問題がある。
【特許文献１】実公平５−２９７４４号公報
【発明の開示】
【発明が解決しようとする課題】
【０００４】
本発明は、かかる点に鑑みてなされたものであり、可動式表示装置を有する遊技機において、可動体の図柄表示面の背面側における部品の冷却作用の効率化を図る上で有効な技術を提供することを目的とする。
【課題を解決するための手段】
【０００５】
上記課題を達成するため、特許請求の範囲の請求項１に記載の発明が構成される。
請求項１に記載の発明によれば、可動式表示装置を備えた遊技機が構成される。遊技機としては、典型的には、パチンコ機やスロットマシン等がこれに該当する。本発明に係る遊技機では、可動式表示装置は、図柄表示面を有する移動可能な可動体を有し、当該可動体の図柄表示面に、当該可動体の移動動作に基づいて当該可動体の図柄表示面の背面側に冷却空気を取り入れる空気取入手段を有する構成とされる。なお「可動体の移動動作に基づいて」とは、典型的には、当該可動体の回転動作を利用する態様がこれに該当するが、可動体の往復スライド動作を利用する態様も包含する。
【０００６】
上記のように構成された本発明に係る遊技機によれば、可動体が移動動作されるとき、空気取入手段を介して冷却空気が可動体の図柄表示面の背面側へと取り込まれる。そして可動体の図柄表示面の背面側に導入された冷却空気は、図柄表示面の背面側に配置された発熱機器を冷却することができる。この場合、図柄表示面の背面側に、例えば図柄照射用のバックライトがほぼ箱型の反射板によって囲まれた状態で配置されていても、図柄表示面から取り込まれた冷却空気は、当該バックライトに対して反射板の妨害を受けることなく効率よく流通される。これにより、冷却効果の向上が図られる。
【発明の効果】
【０００７】
本発明によれば、可動式表示装置を有する遊技機において、可動体の図柄表示面の背面側における部品の冷却作用の効率化を図る上で有効な技術が提供されることとなった。
【発明を実施するための最良の形態】
【０００８】
（第1の実施形態）
以下、本発明の第1の実施形態に係る可動式表示装置、具体的には回転式表示装置を有するパチンコ機につき図１〜図６を参照しつつ詳細に説明する。なおパチンコ機は、本発明における「遊技機」の一例である。図１〜図３には本発明に係るパチンコ機の回転式表示装置を構成する主要な構成部材である回転ドラム１０１が示されている。回転ドラム１０１は、図柄表示面を有する回転体を構成するものであり、本発明における「可動体」に対応する。図１は回転ドラム１０１の正面図であり、図２は同じく側面図であり、図３は回転ドラム１０１の軸方向（回転軸線方向）の概ね右半分を切除して当該回転ドラム１０１の内部に収容されるバックライト１１１を示す正面図である。また図４〜図６は回転ドラム１０１の構成部材である図柄シート（透明もしくは半透明の樹脂シート）１０５に設けられた空気取入手段１２１を示す図面であり、さらに図７は図柄シート１０５の一部を展開して示す展開図である。
【０００９】
図１〜図３に示すように、本実施の形態に係る回転ドラム１０１は、骨格を形成するフレーム１０３と、当該フレーム１０３の外周に巻き付けられた図柄シート１０５とから全体として概ね円筒形状に形成されている。フレーム１０３は、軸方向の両端部に配置される左右のリング部１０３a、当該両リング部１０３a間に周方向に所定間隔を置いて配置されるとともに当該両リング部１０３aを相互に連接する多数の横桟部（図示省略）、およびドラム中央部に配置されるボス部１０３ｂの軸方向一端部と一方のリング部１０３aとを十字状に連接するスポーク１０３ｃを一体に備えた構成とされる。図柄シート１０５は、フレーム１０３の外周に横桟部を覆うように巻き付けられる。なお図柄シート１０５の表面には、図７に示すように、数字や文字あるいは絵柄等の複数の図柄１０７が周方向に所定間隔で描かれている。ドラム周面、すなわちフレーム１０３に巻き付けられた図柄シート１０５が本発明における「図柄表示面」に対応する。
【００１０】
なお便宜上特に図示はしないが、パチンコ機の回転式表示装置を構成する主要な構成部材としての回転ドラム１０１は、軸方向が横方向となるように複数、一般には３個を一組として横並びに配置され、表示装置の表示窓を通して各回転ドラム１０１の所定数の図柄１０７が遊技者に表示される構成とされ、そして横方向にあるいは斜め方向に図柄１０７が揃ったときに大当たりとされる。表示装置の表示窓に表示される図柄１０７を背面側（後方）から照射するべく、回転ドラム１０１の内部には、発光体（照明装置）としての適数個のバックライト（ＬＥＤ）１１１が配置される。バックライト１１１は、配光性を高めるために概ね箱型に形成された反射板１１３内に収容され、当該反射板１１３が回転ドラム１０１内部の前方寄りスペースに配置されている（図２参照）。
【００１１】
また回転ドラム１０１は、概ね水平軸線（横軸線）回りに回転可能とされ、表示窓を通して表示される図柄１０７が上方から下方へ流れる方向にモータ（図示省略）によって回転駆動される構成とされる。なおバックライト１１１が配置された反射板１１３およびモータは、横並びに配置される回転ドラム１０１間に配置される固定の支持板等（図示省略）によって固定状に支持される構成とされる。
【００１２】
上記の発熱機器であるバックライト１１１およびモータを冷却するために、回転ドラム１０１には、当該回転ドラム１０１内に冷却空気を取り入れるための空気取入手段１２１が設けられている。なお回転ドラム１０１内に配置される冷却対象物としては、発熱機器であるバックライト１１１やモータのほか、センサ基盤が含まれる場合がある。空気取入手段１２１は、回転ドラム１０１の図柄表示面である、周面部（胴体部分）に設定されている。第１の実施形態では、回転ドラム１０１の図柄１０７が表示された胴体部分を構成する図柄シート１０５に、ダクト１２３を形成することによって固定式の空気取入手段１２１を構成している（図４〜図６参照）。ダクト１２３は本発明の態様４における「冷却空気誘導部」に対応する。
【００１３】
ダクト１２３は、図４〜図６に示すように、空気取入口１２５が周方向（回転方向）に向かって概ね垂直方向となるように、図柄シート１０５の概ね全幅にわたって形成されている。またダクト１２３は、周方向に所定間隔を置いて複数個、詳しくは、図７に示すように、図柄シート１０５に描かれた図柄１０７と図柄１０７の間に形成される空白部分、あるいは当たりを構成し得ないハズレ図柄（例えば、星印）が描かれたハズレ図柄の描出部分１０９に形成される。
【００１４】
本実施の形態に係る回転ドラム１０１は、上記のように構成したものである。したがって、回転ドラム１０１の回転時において、回転方向に向って開口しているダクト１２３の開口部、すなわち空気取入口１２５から冷却空気が当該回転ドラム１０１の内部に取り入れられ、バックライト１１１やモータを冷却する。回転ドラム１０１の前面側の図柄１０７を照射するためのバックライト１１１は、反射板１１３によって取り囲まれ、前面側（図２の左側）が開放され、側面部分が塞がれている。このため、従来のドラム側方（横方向）から冷却空気を取り込む方式では、反射板１１３の側面部分によって空気の流れが妨げられてしまい、更に反射板１１３の開放側である前面側がドラム内壁面に近接していることから、冷却空気の流通性が悪く、冷却性能が低下することになる。しかるに、本実施の形態では、回転ドラム１０１の周面から冷却空気を取り込む構成のため、回転ドラム１０１内にダクト１２３を経て導入された冷却空気は、反射板１１３によって流れを妨害されることなく反射板１１３の開口部分からバックライト１１１に向って効率よく流れる。このため、バックライト１１１に対する冷却空気の流通性を高め、冷却効果を上げることができる。しかもダクト１２３が反射板１１３の開口部分に近接した位置にあるため、冷却空気の流入による冷却効果がより高いものとなる。
【００１５】
またパチンコ機やスロットマシンで一般的に使用される、複数の回転ドラムを横方向に連接する形態にした場合、従来技術のように、冷却空気を横方向から取り入れる場合では、隣接して配置される回転ドラムの支持板によって空気の取り入れ量が少なくなるといった問題が生じることになる。しかるに、回転ドラム１０１の周面から冷却空気を取り入れる構成とした本実施の形態によれば、上記のような問題がなく、冷却空気を効率よく取り込むことができる。
また本実施の形態のように、冷却空気を回転ドラム１０１の周面から取り入れる方式は、回転ドラムの内部に配置される部品の配置スペースに余裕が少ない、比較的小径のドラムでより効果が期待できる。
【００１６】
また本実施の形態では、ダクト１２３を図柄１０７と図柄１０７との間の空白部分、あるいはハズレ図柄の描出部分１０９に設けてあるため、ダクト１２３の存在によって遊技者による図柄１０７の視認性が低下するといった問題が生じない。特にダクト１２３は、空気取入口１２５が回転方向に向けて概ね垂直方向となるように形成してあるため、遊技者から空気取入口１２５が見えづらくなるとともに、回転ドラム１０１の回転動作に基づく冷却空気の合理的な取り入れが可能となる。
【００１７】
（第２の実施形態）
次に、本発明の第２の実施形態を図８〜図１３に基づいて説明する。第２の実施の形態は、第１の実施形態で説明した固定式の冷却空気取入手段１２１を可動式の冷却空気取入手段１３１としたものであり、この点を除いては第１の実施形態と同様に構成される。したがって、冷却空気取入手段１３１を中心に説明し、第１の実施形態と同様の構成部分については、同一符号を付してその説明を省略あるいは簡略化する。
【００１８】
第２の実施形態に係る可動体としての回転ドラム１０１の冷却空気取入手段１３１は、図柄シート（樹脂シート）１０５に形成される空気取入口１３３を可動羽１３５によって開閉する構成とされる。図柄シート１０５は本発明における「図柄表示面」に対応する。空気取入口１３３は、図柄シート１０５における図柄１０７と図柄１０７との間の空白部分あるいはハズレ図柄の描出部分１０９に、当該図柄シート１０５の概ね全幅にわたって横長矩形状に形成される。空気取入口１３３は、図柄シート１０５を横長矩形状に打ち抜くことで形成され、その打ち抜きによって生じた打抜き片を、当該空気取入口１３３における回転ドラム１０１の回転方向の後縁に、ヒンジシート１３７を介して開閉（回動）動作可能に接合することで、可動羽１３５を構成している。可動羽１３５は本発明の態様４における「冷却空気誘導部」に対応する。
【００１９】
第２の実施形態によれば、回転ドラム１０１が回転されると、当該回転ドラム１０１の回転によって生じた遠心力で可動羽１３５が外側に起き上がり、空気取入口１３３を開くように動作し、回転ドラム１０１の回転が停止されたときは、少なくとも回転ドラム１０１の前面側に位置している可動羽１３５が自重によって空気取入口１３３を閉じる向きに動作する構成としている。
【００２０】
したがって、この実施の形態では、回転ドラム１０１の回転による遠心力を利用して空気取入口１３３を開くとともに、起き上がった可動羽１３７によって冷却空気を空気取入口１３３へ誘導し、これにより回転ドラム１０１内に冷却空気を積極的に取り込むことができる。一方、回転ドラム１０１の停止時にあっては、遊技者から見える回転ドラム１０１の前面側では、可動羽１３７が閉じることによって図柄１０７の視認性が低下することを回避することが可能となる。すなわち、第２の実施形態においても、前述した第１の実施形態と同様に、図柄１０７の視認性を損なうことなく、反射板１１５で囲まれるバックライト１１１に対する冷却空気の流通性を高め、冷却効果を上げることができる。
【００２１】
なお第２の実施形態においては、可動羽１３５の閉じ側への動作は、ヒンジシート１３７の弾性力（可動羽１３５が遠心力で起き上がることに伴い生じる付勢力）によって行われるように構成してもよい。また図柄シート１０５に、例えば３辺が連続するコ字状の切り込みを設ける（後縁のみを接続したままとする）ことで可動羽１３５を形成し、当該可動羽自体の弾性力を利用して閉じ動作を行わせるように変更してもよい。このような可動羽自体の弾性力あるいはヒンジシート１３７のような他のバネ性を有する部材による弾性力を利用して閉じ動作を行わせる構成の場合は、遠心力の大きさ（回転ドラム１０１の回転速度の大きさ）に応じて弾性力の強さを設定することが好ましい。
【００２２】
（その他の実施の形態）
次にその他の実施形態を説明する。図１４に示す実施の形態は、図柄表示面を有する回転体としてベルト１４５を利用した回転式表示装置に適用されており、ベルト１４５は、透明または半透明な樹脂製の図柄シートによって形成されており、駆動プーリー１４１と従動プーリー１４３とに平行掛けされて回転（周回移動）する。駆動プーリー１４１および従動プーリー１４３は本発明の態様９における「回転体」に対応する。ベルト１４５の周面１４５ａには、図柄が回転方向に所定間隔ごとに描かれており、当該図柄が表示窓１４７を介して遊技者に表示される構成とされる。ベルト１４５は本発明における「可動体」に対応し、周面１４５ａは本発明における「図柄表示面」に対応する。また表示窓１４７と対向する部位の周面１４５ａの背面側には、前面側を開放する概ね箱型の反射板１４９内に収容された発熱機器であるバックライト１５１が配置され、当該表示窓１４７に表示される図柄を照射する構成とされる。
【００２３】
ベルト１４５の周面１４５ａには、周方向に適宜間隔をおいて空気取入手段１５３が形成される。空気取入手段１５３の具体的な構成としては、第１の実施の形態で説明したダクト１２３を用いた固定方式、あるいは第２の実施形態で説明した空気取入口１３３を可動羽１３５で開閉する可動方式のいずれをも採用することが可能である。また空気取入手段１５３は、好ましくは第１の実施形態で説明したような図柄と図柄の間の空白部分やハズレ図柄の描出部分に設定される。
上記の如く構成された図１４に示す実施の形態によれば、ベルト１４５の回転時において、当該ベルト１４５の回転動作に基づいて、空気取入手段１５３を介してベルト周面１４５ａから当該周面の背面側へと冷却空気を取り入れることができる。これにより、ベルト周面１４５ａの背面側に配置されたバックライト１５１を、箱型の反射板１４９にて囲まれているにも拘らず効率的に冷却することができる。
【００２４】
次に、図１５に示す実施の形態について説明する。この実施の形態では、図柄表示面を有する回転体として回転ディスク１６１を利用した回転式表示装置に適用されている。なお図１５では、紙面の上側に回転ディスク１６１が正面図で示してある。この実施の形態では、回転ディスク１６１は、透明または半透明の材料から形成されており、駆動軸１６３によって水平軸線回りに回動される構成とされる。すなわち、回転ディスク１６１は、遊技者から見て垂直面と概ね平行する面内で回転する構成とされ、その前面１６１ａの外周側には周方向に所定の間隔で図柄１６５が描かれている。そして当該図柄１６５は表示窓１６７を介して遊技者に表示される構成とされる。回転ディスク１６１は本発明における「可動体」に対応し、前面１６１ａは本発明における「図柄表示面」に対応する。
また表示窓１６７と対向する部位の前面１６１ａの背面側には、前面側を開放する概ね箱型の反射板１６９内に収容された発熱機器であるバックライト１７１が配置され、当該表示窓１６７に表示される図柄を照射する構成とされる。
【００２５】
回転ディスク１６１の前面１６１ａの外周側には、周方向に適宜間隔をおいて空気取入手段１７３が形成される。空気取入手段１７３の具体的な構成としては、第１の実施の形態で説明したダクト１２３を用いた固定方式、あるいは第２の実施形態で説明した空気取入口１３３を可動羽１３５で開閉する可動方式のいずれをも採用することが可能である。また空気取入手段１７３は、好ましくは第１の実施形態で説明したような図柄と図柄の間の空白部分やハズレ図柄の描出部分に設定される。
上記の如く構成された図１５に示す実施の形態によれば、回転ディスク１６１の回転時において、当該回転ディスク１６１の回転動作に基づいて、空気取入手段１７３を介してディスク前面１６１ａから背面側へと冷却空気を取り入れることができる。これにより、ディスク前面１６１ａの背面側に配置されたバックライト１７１を、箱型の反射板１６９にて囲まれているにも拘らず効率的に冷却することができる。
【００２６】
なお上述した実施の形態では、パチンコ機の表示装置に適用される回転ドラムの場合で説明したが、スロットマシンの表示装置の回転ドラムとして適用できることは勿論である。また冷却対象としての発熱機器は、バックライト１１１，１４９，１６９やモータに限られるものではない。
また実施の形態では、ダクト１２３を形成するに当たり、空気取入口１２５が回転方向に概ね垂直方向となるように形成したが、この態様に限定されるものではない。またダクト１２３あるいは可動羽１３５によって構成される空気取入手段１２１，１３１は、図柄１０７が描かれた領域に設けてもよく、図柄シート１０５の幅方向に複数横並びに配置してもよい。
【００２７】
また上述した第２の実施形態では、回転ドラム１０１の回転時には遠心力によって空気取入口１３３を開き、停止時には自重あるいは弾性力によって空気取入口１３３を閉じるように、可動羽１３５を動作させる構成としたが、回転ドラム１０１の回転・停止の如何を問わず、遊技者が図柄を見ることができる回転ドラム１０１の前面側では空気取入口１３３を閉じ、遊技者からは見えない後面および上下面側では空気取入口１３３を開くように、適宜手段を用いて可動羽１３５を動作させる構成としてもよい。
更には上述した各実施の形態では、図柄表示面を有する回転体の回転動作によって図柄を表示する回転式表示装置の場合で説明したが、本発明は回転式に変えて、例えばスライド動作（表示面が直線状に往復動作）するスライド式の表示装置に適用してもよい。ただし、この場合、空気取入手段は、一方向の移動動作時に空気を取り入れることになるが、両方向に関して空気を取り入れるように取入れの向きが相反する空気取入手段を構成してもよい。
【００２８】
上記発明の趣旨に鑑み、以下の態様が構成可能である。すなわち、
【００２９】
（態様１）
「請求項１に記載の遊技機であって、
前記空気取入手段は、前記可動体の図柄表示面の図柄の表示態様に対応させて設定されていることを特徴とする遊技機。」
【００３０】
態様１に記載の発明では、請求項１に記載の遊技機における空気取入手段は、可動体の図柄表示面の図柄の表示態様に対応させて設定されている構成とされる。なお「図柄の表示態様に対応させて設定」とは、当該図柄が描かれている部位への設定、描かれていない部位への設定のいずれをも包含する。また可動体の図柄表示面に形成される「図柄」とは、当たりを形成することができる図柄のみならず、当たりを形成し得ない、いわゆるハズレ図柄をも包含するものである。空気取入手段を、例えば図柄が描かれている部位に設定する場合であれば、当該図柄を全体的にあるいは部分的に立体化させ、当該立体化された部位に空気取入手段を設定する。このような設定がなされることで、図柄の表示の多様化に資する。かくして、態様１の発明によれば、図柄の視認性を損なうことなく冷却空気の取り入れを合理的に実現できることになる。
【００３１】
（態様２）
「請求項１または態様１に記載の遊技機であって、
前記空気取入手段は、前記可動体の図柄表示面に描かれる図柄の特徴的部位に設定されていることを特徴とする遊技機。」
【００３２】
態様２に記載の発明によれば、請求項１または態様１に記載の遊技機における空気取入手段は、可動体の図柄表示面に描かれる図柄の特徴的部位に設定される構成とされる。ここで「図柄の特徴的部位」とは、例えばキャラクターの背景であれば、山、川、谷、雲、海、空等がこれに該当する。またキャラクターの顔であれば、口や鼻、あるいは目や耳等がこれに該当し、更にキャラクターが人物であれば、その手足あるいは服装がこれに該当する。また物としてのキャラクターであれば、その構成要素（チェリーや桃等の果実、あるいはチューリップや桜等の花等）がこれに該当する。
【００３３】
（態様３）
「請求項１に記載の遊技機であって、
前記空気取入手段は、可動体の図柄表示面における図柄が描かれていない空白部分あるいはハズレ図柄の描出部分に設定されていることを特徴とする遊技機。」
【００３４】
態様３に記載の発明によれば、請求項１に記載の遊技機における空気取入手段は、可動体の図柄表示面における図柄が描かれていない空白部分またはハズレ図柄の描出部分に設定されている構成とされる。なお「図柄が描かれていない空白部分」とは、典型的には、可動体の図柄表示面に複数の図柄が移動方向に所定間隔を置いて形成されるとき、図柄と図柄との間に形成される空白領域がこれに該当する。また「ハズレ図柄の描出部分」とは、当たりを形成し得ない図柄が描かれた領域をいう。
上記のように構成された態様３に記載の発明によれば、遊技者に表示される図柄の視認性を損なうことなく、冷却空気をドラム内部に合理的に取り込むことができる。
【００３５】
（態様４）
「請求項１または態様１〜３のいずれかに記載の遊技機であって、
前記空気取入手段は、可動体の移動動作に基づき、空気取入口を経て冷却空気をドラム内部へ誘導する冷却空気誘導部を有することを特徴とする遊技機。」
【００３６】
態様４に記載の発明によれば、請求項１または態様１〜３のいずれかに記載の遊技機における空気取入手段は、可動体の移動動作に基づき、空気取入口を経て冷却空気をドラム内部へ誘導する冷却空気誘導部を有する構成とされる。この場合、空気取入口および冷却空気誘導部は、可動体が、例えば回転ドラムやベルト等から構成される場合であれば、軸方向（回転軸線）の概ね全幅にわたって形成することが可能であるし、横並びに複数形成することも可能である。かかる構成によれば、回転ドラムやベルトの回転動作時において、冷却空気誘導部によって冷却空気を積極的に空気取入口へ誘導することができる。これにより冷却空気の取入量が増加し、冷却効果が高められる。
【００３７】
（態様５）
「態様４に記載の遊技機であって、
前記冷却空気誘導部は、前記空気取入口が移動方向に向かって開口するように形成されたダクトによって構成されていることを特徴とする遊技機。」
【００３８】
態様５に記載の発明では、態様４に記載の遊技機における冷却空気誘導部は、空気取入口が移動方向に向かって開口するように形成されたダクトによって構成されている。かかる構成を採用したときは、可動体の移動時において、ダクトの開口、すなわち空気取入口が移動方向に対向しているため、冷却空気の取り込みが合理的かつ円滑に行われるとともに、空気取入口が遊技者から見え辛くなり、外観見栄えを低下することにもならない。
【００３９】
（態様６）
「態様４に記載の遊技機であって、
前記冷却空気誘導部は、前記可動体の移動時に前記空気取入口を開き、前記可動体の停止時に前記空気取入口を閉じるように開閉動作する可動羽によって構成されていることを特徴とする遊技機。」
【００４０】
態様６に記載の発明では、態様４に記載の遊技機における冷却空気誘導部は、可動体の移動時に空気取入口を開き、可動体の停止時に空気取入口を閉じるように開閉動作する可動羽によって構成されている。なお可動羽が「可動体の移動時に空気取入口を開く」態様としては、例えば可動体の移動時に生ずる遠心力に基づいて可動羽が一端を支点として回動することによって空気取入口を開く態様がこれに該当する。また可動羽が「可動体の停止時に空気取入口を閉じる」態様としては、遠心力の消去に伴い、当該可動羽の自重に基づいて、または当該可動羽自体あるいはバネ等の弾性体を介して作用する付勢力（弾性力）に基づいて、可動羽が元の位置に復帰して空気取入口を閉じる態様がこれに該当する。
【００４１】
かかる構成によれば、可動体の移動時には、可動羽が空気取入口を開いて冷却空気を図柄表示面の背面側に積極的に取り入れることができ、また可動体の停止時には、可動羽が空気取入口を閉じることによって遊技者に表示される図柄の視認性の低下を回避することができる。
【００４２】
（態様７）
「態様４に記載の遊技機であって、
前記冷却空気誘導部は、遊技者に図柄を表示する領域では前記空気取入口を閉じ、遊技者には見えない領域では当該空気取入口を開くように開閉動作する可動羽によって構成されていることを特徴とする遊技機。」
【００４３】
態様７に記載の発明では、態様４に記載の遊技機における冷却空気誘導部は、遊技者に図柄を表示する領域では空気取入口を閉じ、遊技者には見えない領域では当該空気取入口を開くように開閉動作する可動羽によって構成されている。なお「遊技者に図柄を表示する領域」とは、表示窓に対向している面がこれに該当し、例えば可動体が回転ドラムの場合であれば、前面側がこれに該当する。また「遊技者には見えない領域」とは、表示窓に対抗していない面がこれに該当し、例えば可動体が回転ドラムの場合であれば、後面側および上下面側がこれに該当する。かかる構成によれば、可動体の移動・停止の如何に拘わらず、冷却空気の取り入れと視認性の維持とを実現することができる。
【００４４】
（態様８）
「請求項１または態様１〜７のいずれかに記載の遊技機であって、
前記可動体は筒状の回転ドラムであって、当該回転ドラムは、骨格を形成するフレームと、当該フレームの外周に巻き付けられた図柄シートとを有しており、当該図柄シートに前記冷却空気取入手段が形成されていることを特徴とする遊技機。」
【００４５】
態様８に記載の発明では、請求項１または態様１〜７のいずれかに記載の遊技機における可動体は筒状の回転ドラムであって、当該回転ドラムは、骨格を形成するフレームと、当該フレームの外周に巻き付けられた図柄シートとを有しており、当該図柄シートに冷却空気取入手段が形成されている構成とされる。かかる構成によれば、図柄シートに対し、所定の加工を施すことによって、冷却取入手段を低コストで容易に構成することができる。
【００４６】
（態様９）
「請求項１または態様１〜７のいずれかに記載の遊技機であって、
前記可動体は複数の回転体に掛け渡されたベルトであって、当該ベルトの図柄表示面に前記空気取入手段が形成されていることを特徴とする遊技機。」
【００４７】
態様９に記載の発明では、請求項１または態様１〜７のいずれかに記載の遊技機における可動体は複数の回転体に掛け渡されたベルトであって、当該ベルトの図柄表示面に前記空気取入手段が形成されている構成とされる。かかる構成によれば、ベルトに所定の加工を施すことによって、冷却取入手段を低コストで容易に構成することができる。
【００４８】
（態様１０）
「請求項１または態様１〜７のいずれかに記載の遊技機であって、
前記可動体は回転ディスクであって、当該回転ディスクの図柄表示面に前記空気取入手段が形成されていることを特徴とする遊技機。」
【００４９】
態様１０に記載の発明では、請求項１または態様１〜７のいずれかに記載の遊技機における可動体は回転ディスクであって、当該回転ディスクの図柄表示面に前記空気取入手段が形成されている構成とされる。かかる構成によれば、回転ディスクに所定の加工を施すことによって、冷却取入手段を低コストで容易に構成することができる。
【００５０】
（態様１１）
「請求項１または態様１〜１０のいずれかに記載の遊技機であって、
前記可動体の図柄表示面の背面側には、概ね箱状の反射板内に収容された照明装置が配置されていることを特徴とする遊技機。」
【００５１】
態様１１に記載の発明では、請求項１または態様１〜１０のいずれかに記載の遊技機において、可動体の図柄表示面の背面側には、概ね箱状の反射板内に収容された照明装置が配置されている構成とされる。かかる構成によれば、照明装置を効率よく冷却することができる。
【図面の簡単な説明】
【００５２】
【図１】本発明の第１の実施形態に係る回転ドラムを示す正面図である。
【図２】同じく回転ドラムを示す側面図である。
【図３】回転ドラムの概ね右半分を切除して当該回転ドラム内のバックライトを示す正面図である。
【図４】図柄シートに設けられた空気取入手段を示す正面面である。
【図５】図４のＡ−Ａ線断面図である。
【図６】図４のＢ−Ｂ線断面図である。
【図７】図柄シートの一部を展開して示す展開図である。
【図８】本発明の第２の実施形態に係る回転ドラムを示す正面図である。
【図９】同じく回転ドラムを示す側面図である。
【図１０】回転ドラムの概ね右半分を切除して当該回転ドラム内のバックライトを示す正面図である。
【図１１】図柄シートに設けられた空気取入手段を示す正面図である。
【図１２】図１１のＣ−Ｃ線断面図である。
【図１３】図１１のＤ−Ｄ線断面図である。
【図１４】その他の実施の形態を示す模式図である。
【図１５】更にその他の実施の形態を示す模式図である。
【符号の説明】
【００５３】
１０１  回転ドラム（可動体）
１０３  フレーム
１０３ａ  リング部
１０３ｂ  ボス部
１０３ｃ  スポーク
１０５  図柄シート（図柄表示面）
１０７  図柄
１０９  空白部分あるいはハズレ図柄の描出部分
１１１  バックライト
１１３  反射板
１２１  空気取入手段
１２３  ダクト
１２５  空気取入口
１３１  空気取入手段
１３３  空気取入口
１３５  可動羽
１３７  ヒンジシート
１４１  駆動プーリー
１４３  従動プーリー
１４５  ベルト（可動体）
１４５ａ  周面（図柄表示面）
１４７  表示窓
１４９  反射板
１５１  バックライト
１５３  空気取入手段
１６１  回転ディスク（可動体）
１６１ａ  前面（図柄表示面）
１６３  駆動軸
１６５  図柄
１６７  表示窓
１６９  反射板
１７１  バックライト
１７３  空気取入手段
【図１】
2005081078.tif 000003
【図２】
2005081078.tif 000004
【図３】
2005081078.tif 000005
【図４】
2005081078.tif 000006
【図５】
2005081078.tif 000007
【図６】
2005081078.tif 000008
【図７】
2005081078.tif 000009
【図８】
2005081078.tif 000010
【図９】
2005081078.tif 000011
【図１０】
2005081078.tif 000012
【図１１】
2005081078.tif 000013
【図１２】
2005081078.tif 000014
【図１３】
2005081078.tif 000015
【図１４】
2005081078.tif 000016
【図１５】
2005081078.tif 000017